(57)【要約】      （修正有）【課題】回転物を手動式と電動式で回転させることができる二重駆動一方向回転装置、及び二重駆動一方向回転装置を含み、スプールに釣糸を手動式と電動式で巻き取ることができるリールを提供する。【解決手段】二重駆動一方向回転装置１は、本体部１０と、本体部の内部に設けられ、本体部の一方向回転をガイドするクラッチベアリング部２０と、クラッチベアリング部に装着され、被回転物に連結された状態で一方向にのみ回転するか、あるいは被回転物とクラッチベアリング部が同一方向に回転するときに本体部が一緒に回転することを防止するノブ部３０とを含む。リールは、リールフレーム、及びリールフレームに空回り可能に設けられ、外面に釣糸が巻き取られるスプールを含むリール本体と、スプールに備えられる回転軸１１２１を一方向に回転させる二重駆動一方向回転装置とを含む。【選択図】図１
0003233780.tif 000002
【実用新案登録請求の範囲】
【請求項１】
本体部と、
前記本体部の内部に設けられ、前記本体部の一方向回転をガイドするクラッチベアリング部と、
前記クラッチベアリング部に装着され、被回転物に連結された状態で一方向にのみ回転するか、あるいは前記被回転物とクラッチベアリング部が同一方向に回転するときに本体部が一緒に回転することを防止するノブ部と、
前記本体部に設けられる手動式回転レバーと、
前記ノブ部に締結され、動力源の動力を伝達する動力伝達軸とを含み、
前記ノブ部は、
前記クラッチベアリング部の内部に装着されて回転する回転部と、
前記回転部の一端に一体に形成され、前記回転部より広い外周を有するヘッド部とを含み、
前記回転部及びヘッド部の内周面には被回転物の回転軸が締結されるネジ部が形成され、
前記動力伝達軸は、外周面にネジ部が形成され、被回転物の回転軸とともにノブ部のネジ部に締結される、二重駆動一方向回転装置。
【請求項２】
リールフレーム、及び前記リールフレームに空回り可能に設けられ、外面に釣糸が巻き取られるスプールを含むリール本体と、前記スプールに備えられる回転軸を一方向に回転させる請求項１に記載の二重駆動一方向回転装置とを含む、リール。
【請求項３】
前記回転軸とノブ部が一緒に回転するように前記動力伝達軸に動力を供給する電動式動力供給部をさらに含み、
前記電動式動力供給部は、
ケーシングと、
前記ケーシングの内部に設けられ、モーター軸が外部に突出して前記動力伝達軸に固定されるモーターと、
前記モーターの作動をオン（ＯＮ）又はオフ（ＯＦＦ）させるように前記ケーシングに設けられるスイッチとを含む、請求項２に記載のリール。
【考案の詳細な説明】
【技術分野】
【０００１】
本考案は内部回転物と外部回転物を同一方向に同時に回転させるかあるいは内部に位置する回転物のみ回転させることができ、回転物を手動式と電動式で回転させることができる二重駆動一方向回転装置及びこれを含むリールに関するものである。
【背景技術】
【０００２】
釣り用リールは使用者がスプールの軸上に結合された手動操作レバーを回動操作することによって釣糸を巻くようにする手動リールと、リール本体の内部に取り付けられた駆動モーターの駆動によってスプールが回転して釣糸を巻くようにする電動リールとに区分することができる。
【０００３】
そして、たいてい水深が浅い海岸で手動式リールを使うことになり、深い水深に棲息する魚種を対象とする船上釣りを行う場合には電動式リールを使うことが一般的である。
【０００４】
したがって、海岸釣りと船上釣りを全部楽しむ人の場合、手動式リールと電動式リールの両方を準備しなければならない。このような場合、リール購入費用が高くかかる問題点があり、水深が深い所で手動リールを使う場合、頻繁に解いたり巻いたりする過程を随時繰り返す釣りジャンルでは、深い水深に沈降させるときには疲労度が小さいが、引き上げるときには肉体的疲労が相当であり、予期せぬ負傷をすることがある。
【０００５】
この点を補完した方法が電動リールである。水深チェック機能、船端機能などの様々な機能があるが、主に水深が深い所にある対象物を巻き上げる回転機能がリール機能のすべてを占めると言っても過言ではない。
【０００６】
肉体的な力を減らすためにモーターの力を用いるが、これも合理的ではない部分がある。
【０００７】
手動リールはそれぞれその機能に必要な全ての要件を持っており、その力を肉体的な力から得ようとしたが、その力をモーターによって得るには、その手動リールにモーターも挿入しなければならなく、モーターを駆動するためにギア装置を含めた色々の組合物が単一胴体に組み込まれなければならない。
【０００８】
すると、それ自体が重くなり、それを手で持っているためには他の肉体的疲労感を感じることになる。また、この組立てのために多くの部品が必要であるため、当然その製品の価格はかなり高く設定されるしかないから、その結果はそのまま消費者の負担となるしかないものである。
【０００９】
また、一般的には手動式リールと電動式リールを選択的に交替して使うことができるが、これは使用者が釣り場所によって直接交替しなければならないややこしい問題点がある。
【考案の概要】
【考案が解決しようとする課題】
【００１０】
本考案は前述した従来技術の問題点を解決するために案出されたものであり、内部回転物と外部回転物を同一方向に同時に回転させるかあるいは内部に位置する回転物のみ回転させることができ、回転物を手動式と電動式で回転させることができる二重駆動一方向回転装置を提供することにその目的がある。
【００１１】
そして、二重駆動一方向回転装置を含み、スプールに釣糸を手動式と電動式で巻き取ることができるリールを提供することにもその目的がある。
【課題を解決するための手段】
【００１２】
本考案による二重駆動一方向回転装置は、本体部と、前記本体部の内部に設けられ、前記本体部の一方向回転をガイドするクラッチベアリング部と、前記クラッチベアリング部に装着され、被回転物に連結された状態で一方向にのみ回転するか、あるいは前記被回転物とクラッチベアリング部が同一方向に回転するときに本体部が一緒に回転することを防止するノブ部と、前記本体部に設けられる手動式回転レバーと、前記ノブ部に締結され、動力源の動力を伝達する動力伝達軸とを含み、前記ノブ部は、前記クラッチベアリング部の内部に装着されて回転する回転部と、前記回転部の一端に一体に形成され、前記回転部より広い外周を有するヘッド部とを含み、前記回転部及びヘッド部の内周面には被回転物の回転軸が締結されるネジ部が形成され、前記動力伝達軸は、外周面にネジ部が形成され、被回転物の回転軸とともにノブ部のネジ部に締結される。
【００１３】
本考案によるリールは、リールフレーム、及び前記リールフレームに空回り可能に設けられ、外面に釣糸が巻き取られるスプールを含むリール本体と、前記スプールに備えられる回転軸を一方向に回転させる二重駆動一方向回転装置とを含む。
【００１４】
前記回転軸とノブ部が一緒に回転するように前記動力伝達軸に動力を供給する電動式動力供給部をさらに含み、前記電動式動力供給部は、ケーシングと、前記ケーシングの内部に設けられ、モーター軸が外部に突出して前記動力伝達軸に固定されるモーターと、前記モーターの作動をオン（ＯＮ）又はオフ（ＯＦＦ）させるように前記ケーシングに設けられるスイッチとを含む。
【考案の効果】
【００１５】
本考案による二重駆動一方向回転装置は、内部回転物と外部回転物を同一方向に同時に回転させるかあるいは内部に位置する回転物のみ回転させることができるので、多様な分野に活用可能であり、回転物を手動式と電動式で回転させることができ、使用上の便宜性を向上させることができる効果がある。
【００１６】
そして、二重駆動一方向回転装置を含むリールは、スプールに釣糸を手動式と電動式で巻き取ることができ、水深が浅い海岸で近距離又は遠距離投擲方式の釣りを行う場合は手動式で釣糸を巻き取れば良く、深い水深に棲息する魚種を対象とする船上釣りを行う場合には電動式で釣糸を巻き取れば良いので、使用上の便宜性を向上させることができる効果がある。
【図面の簡単な説明】
【００１７】
【図１】本考案による二重駆動一方向回転装置を示す分解斜視図である。
【図２】本考案による二重駆動一方向回転装置を示す結合斜視図である。
【図３】本考案による二重駆動一方向回転装置を示す結合断面図である。
【図４】本考案による二重駆動一方向回転装置を示す結合断面図である。
【図５】本考案による二重駆動一方向回転装置に適用されたノブ及び回転軸が連動して回転する状態を示す正面図である。
【図６】本考案による二重駆動一方向回転装置に適用された本体部が回転する状態を示す正面図である。
【図７】本考案による二重駆動一方向回転装置を含むリールを示す分解斜視図である。
【図８】本考案による二重駆動一方向回転装置を示す結合斜視図である。
【考案を実施するための形態】
【００１８】
本考案による二重駆動一方向回転装置は、本体部と、前記本体部の内部に設けられ、前記本体部の一方向回転をガイドするクラッチベアリング部と、前記クラッチベアリング部に装着され、被回転物に連結された状態で一方向にのみ回転するか、あるいは前記被回転物とクラッチベアリング部が同一方向に回転するときに本体部が一緒に回転することを防止するノブ部と、前記本体部に設けられる手動式回転レバーと、前記ノブ部に締結され、動力源の動力を伝達する動力伝達軸とを含み、
前記ノブ部は、前記クラッチベアリング部の内部に装着されて回転する回転部と、前記回転部の一端に一体に形成され、前記回転部より広い外周を有するヘッド部とを含み、
前記回転部とヘッド部の内周面には被回転物の回転軸が締結されるネジ部が形成され、
前記動力伝達軸は、前記外周面にネジ部が形成され、被回転物の回転軸とともにノブ部のネジ部に締結される。
【００１９】
本考案によるリールは、リールフレーム、及び前記リールフレームに空回り可能に設けられ、外面に釣糸が巻き取られるスプールを含むリール本体と、前記スプールに備えられる回転軸を一方向に回転させる二重駆動一方向回転装置とを含む。
【００２０】
本考案の利点及び特徴、そしてそれらを達成する方法は添付図面に基づいて詳細に後述する実施例を参照すれば明確になるであろう。
【００２１】
しかし、本考案は以下で開示する実施例に限定されるものではなく、相異なる多様な形態に具現されることができる。ただ、本実施例は本考案の開示を完全にし、本考案が属する技術分野で通常の知識を有する者に考案の範疇を完全に知らせるために提供するものであり、本考案は請求範囲の範疇によって定義されるだけである。明細書全般にわたって同じ参照符号は同じ構成要素を指称する。
【００２２】
以下、本考案が属する技術分野で通常の知識を有する者が容易に実施することができるように本考案の実施例について添付図面を参照して詳細に説明する。しかし、本考案は様々な形態に具現されることができ、ここで説明する実施例に限定されない。明細書全般にわたって類似の部分に対しては同じ図面符号を付ける。
【００２３】
図１は本考案による二重駆動一方向回転装置を示す分解斜視図、図２は本考案による二重駆動一方向回転装置を示す結合斜視図、図３及び図４は本考案による二重駆動一方向回転装置を示す結合断面図、図５は本考案による二重駆動一方向回転装置に適用されたノブ及び回転軸が連動して回転する状態を示す正面図、図６は本考案による二重駆動一方向回転装置に適用された本体部が回転する状態を示す正面図である。
【００２４】
本考案による二重駆動一方向回転装置１は、２個の被回転物を同一方向に同時に回転させるかあるいは内部に位置する被回転物のみ回転させることができ、回転物を手動方式又は電動方式で自由に選択的に回転させることができる製品である。
【００２５】
このために、本考案による二重駆動一方向回転装置１は、本体部１０、クラッチベアリング部２０、及びノブ部３０を含むことができる。
【００２６】
ここで、被回転物は、釣り用リール、一般ホース又は消防ホースを巻き取るための装置、その他の回転力を要求する装置などの多様なものであり得るが、以下では前記被回転物としてリールが適用された例を説明する。
【００２７】
前記本体部１０は、本考案による二重駆動一方向回転装置１を被回転物に連結することができるようにするとともに、前記クラッチベアリング部２０及びノブ部３０が回転可能に取り付けられるようにする役割を果たす。
【００２８】
したがって、前記本体部１０は、使用中に易しく破損されるか錆付くことがない金属素材やステンレススチール素材から製作されることができる。
【００２９】
図４を参照すると、前記本体部１０のおよそ中央部には、前記クラッチベアリング部２０が装着される装着ホール１０ａが水平方向に貫設される。
【００３０】
もちろん、前記本体部１０には、クラッチベアリング部２０が外部に離脱することを防止するための係止段、加圧突起などのホールド手段が備えられる。
【００３１】
前記本体部１０の底面には、後述する手動式回転レバー４０が結合される一対の結合板１１が一体に形成される。
【００３２】
前記結合板１１は多角形、曲線形などの多様な形状に形成されることができ、本体部１０と同じ素材から製作されることができる。
【００３３】
前記クラッチベアリング部２０は前記本体部１０の装着ホール１０ａに装着され、前記本体部１０の一方向回転のみを可能にするとともに後述するノブ部３０の一方向回転のみを可能にする。
【００３４】
前記ノブ部３０は、全体が同じ外径を有する円筒形に形成される回転部３１、及び中空型部材であって、前記回転部３１の一端に一体に形成され、前記回転部３１より広い外周を有する多角形のヘッド部３２を含むことができる。
【００３５】
そして、前記回転部３１及びヘッド部３２の内周面に沿っては、互いに連結され、被回転物の回転軸１１２１が締結されるネジ部が一体に形成される。
【００３６】
すなわち、図５に示すように、前記回転部３１は前記クラッチベアリング部２０に装着された状態で回転軸１１２１と一緒に左方向に回転するが右方向には回転することができず、前記ヘッド部３２は本体部１０の外面に接触した状態で回転部３１と同じ方向に回転する。
【００３７】
一方、前記本体部１０は前記回転軸１１２１に締結された回転部３１を軸として前記ノブ部３０と同じ方向にのみ回転することができる。
【００３８】
すなわち、図６を参照すると、前記クラッチベアリング部２０はノブ部３０の左方向回転のみを許すので、前記結合板１１の間に結合された手動式回転レバー４０を左方向に回転させれば、本体部１０、回転軸１１２１、クラッチベアリング部２０及びノブ部３０も一緒に左方向に回転する。
【００３９】
また、前記本体部１０を右方向に回転させれば、回転軸１１２１、クラッチベアリング部２０及びノブ部３０は回転せず、本体部１０が回転部３１を軸として単独で空回りする。
【００４０】
さらに、本考案によるこのような構成的特徴によって回転軸１１２１及びノブ部３０を自動で回転させることができる。
【００４１】
このために、本考案による二重駆動一方向回転装置１は、動力源の動力を伝達する動力伝達軸５０をさらに含むことができる。
【００４２】
前記動力伝達軸５０は、外周面にネジ部が形成され、前記ノブ部３０のネジ部に締結される。
【００４３】
すなわち、前記回転軸１１２１と動力伝達軸５０は前記ノブ部３０の内部に同時に締結される。
【００４４】
そして、前記動力伝達軸５０の一部は前記ノブ部３０の外部に突出し、前記突出した部分におよそ多角形の溝が形成される。
【００４５】
したがって、モーターのような動力源を連結して駆動させれば、前記動力伝達軸５０、ノブ部３０及び回転軸１１２１を自動で一緒に回転させることができる。
【００４６】
次に、このような二重駆動一方向回転装置を含むリールについて説明する。
【００４７】
図７は本考案による二重駆動一方向回転装置を含むリールを示す分解斜視図、図８は本考案による二重駆動一方向回転装置を示す結合斜視図である。
【００４８】
本考案によるリール１００は、リールフレーム１１１、及び前記リールフレーム１１１に空回り可能に設けられ、外面に釣糸が巻き取られるスプール１１２を含むリール本体１１０と、前記スプール１１２に備えられる回転軸１１２１を一方向に回転させる二重駆動一方向回転装置１と、前記回転軸１１２１を回転させてスプール１１２に釣糸を巻き取る電動式動力伝達部１２０とを含むことができる。
【００４９】
前記リール本体１１０の全体的な外観構成は商用化しているので、具体的な説明は省略し、以下では電動式動力伝達部１２０について具体的に説明する。
【００５０】
前記電動式動力伝達部１２０は、回転軸１１２１とノブ部３０が一緒に回転するように前記動力伝達軸５０に動力を供給するものであり、ケーシング１２１、モーター１２２及び前記モーター１２２をオン（ＯＮ）又はオフ（ＯＦＦ）させるスイッチ１２３を含むことができる。
【００５１】
前記ケーシング１２１は、釣りを行うときに使用者が片手で容易に把持することができるサイズに形成されることができる。
【００５２】
前記ケーシング１２１の外面には、把持の際に滑ることを防止するためのゴム又はシリコン素材のパッドが設けられることができる。
【００５３】
前記ケーシング１２１の内部空間には、前記モーター１２２に電源を供給するための充電式バッテリー（図示せず）、及び前記バッテリーを充電させるための充電部（図示せず）が設けられることができ、前記充電部は、外部電源を受けることができるように、ＵＳＢ連結端子を有する。
【００５４】
前記モーター１２２は前記ケーシング１２１の内部空間に設けられることができ、モーター１２２の軸が一方向にのみ回転する公知のＡＣモーター又はＤＣモーターを適用することができる。
【００５５】
ここで、前記モーター軸は、前記動力伝達軸５０と連結されるように、ケーシング１２１の外部に突出する。
【００５６】
そして、前記モーター軸の外面には動力伝達軸５０の溝に挿入されるカップラー６０が装着されることができる。
【００５７】
ここで、前記カップラー６０は、モーター軸の回転時に前記動力伝達軸５０を回転させることができるように、多角形に形成される。
【００５８】
次に、このような構成を含む本考案によるリールの作動及び特有の効果について説明する。
【００５９】
まず、水深が浅い場所で釣りを行う場合、鉤素に重り及び釣り針を連結し、釣り針にはミミズ、ドジョウ、一定のサイズに切断したイカのような生餌又は人造餌など、攻略魚種に合う餌を選んで準備した後、近距離又は遠距離に投擲して沈降させれば良い。
【００６０】
そして、魚が釣り針を噛んだ場合、又は餌の投擲後に所定の時間が経って釣り針にかけられた餌を新しい餌に交替しようとする場合には、前記手動式回転レバー４０を繰り返し回転させることにより、水中に沈降した釣糸をスプール１１２に巻き取れば良い。
【００６１】
すなわち、前記手動式回転レバー４０を回転させれば、本体部１０、クラッチベアリング部２０、ノブ部３０、回転軸１１２１及びスプール１１２が一緒に回転して釣糸がスプール１１２に巻き取られ、水中に投擲された重りと釣り針を回収することができる。
【００６２】
一方、約５０ｍ〜１００ｍの水深に棲息する魚種を対象とする船上釣りを行う場合、鉤素に重り及び釣り針を連結し、釣り針にはミミズ、ドジョウ、一定のサイズに切断したイカのような生餌、人造餌など、攻略魚種に合う餌を選んで準備した後、スプールから釣糸を解いて釣り針をおよそ垂直に下げる方式で水中に沈降させれば良い。
【００６３】
その後、魚が釣り針を噛んだ場合又は餌の投擲後に所定の時間が経って釣り針にかけられた餌を新しい餌に交替しようとする場合には、前記動力伝達軸５０にモーター軸に装着されたカップラー６０を固定した後、ケーシング１２１に備えられたスイッチ１２３を押すことにより、水中に沈降していた釣糸をスプール１１２に巻き取れば良い。
【００６４】
このとき、モーター軸が回転すれば動力伝達軸５０が回転し、これにより回転部３１がクラッチベアリング部２０内で空回りし、回転部３１に締結された回転軸１１２１及びスプール１１２が同時に回転し、釣糸がスプール１１２に巻き取られることにより、水中に投擲された重りと釣り針を容易に回収することができる。
【００６５】
本考案が属する技術分野の通常の知識を有する者は、本考案がその技術的思想や必須の特徴を変更せずに他の具体的な形態に実施することができるというのが理解可能であろう。したがって、以上で記述した実施例は全ての面で例示的なものであり、限定的なものではないことを理解しなければならない。本考案の範囲は前記詳細な説明よりは後述する特許請求の範囲によって決定され、特許請求の範囲の意味及び範囲そしてその均等概念から導出される全ての変更又は変形の形態は本考案の範囲に含まれるものと解釈されなければならない。
【産業上の利用可能性】
【００６６】
本考案による二重駆動一方向回転装置は、内部回転物と外部回転物を同一方向に同時に回転させるかあるいは内部に位置する回転物のみ回転させることができるので、多様な分野に活用することができ、回転物を手動式と電動式で回転させることができるので、使用上の便宜性を向上させることができる効果がある。
【００６７】
そして、二重駆動一方向回転装置を含むリールは、スプールに釣糸を手動式と電動式で巻き取ることができるものであり、水深が浅い海岸で近距離又は遠距離投擲方式の釣りを行う場合は手動式で釣糸を巻き取れば良く、深い水深に棲息する魚種を対象とする船上釣りを行う場合には電動式で釣糸を巻き取れば良いので、使用上の便宜性を向上させることができ、産業上有用である。
【図１】
0003233780.tif 000003
【図２】
0003233780.tif 000004
【図３】
0003233780.tif 000005
【図４】
0003233780.tif 000006
【図５】
0003233780.tif 000007
【図６】
0003233780.tif 000008
【図７】
0003233780.tif 000009
【図８】
0003233780.tif 000010